(57)【要約】【課題】複数の導電部材同士を電気的に接続するための電気コネクタにおいて、電気的な接続を、より確実に維持できるようにする。【解決手段】電気コネクタは、コンタクト１００，２００を有している。コンタクト１００，２００は、ブスバー１と接触するための第１部分１０３，２０３と、圧着端子４と接触するための第２部分１０６，２０６と、支点部１０１，２０１と、を有するシーソー構造を含んでいる。【選択図】        図１４
2014107016.tif 000002
【特許請求の範囲】
【請求項１】
導電性を有するコンタクトを備え、
前記コンタクトは、所定の第１導電部材と接触するための第１部分と、所定の第２導電部材と接触するための第２部分と、前記第１部分及び前記第２部分の間に配置された支点部と、を有するシーソー構造を含み、
一方の前記部分及び導電部材の接触により、他方の前記部分及び導電部材が互いに加圧されることを特徴とする、電気コネクタ。
【請求項２】
請求項１に記載の電気コネクタであって、
前記コンタクトは、一対設けられており、
一対の前記コンタクトは、互いに向かい合う第１対向コンタクト及び第２対向コンタクトを有し、
前記第１対向コンタクトの前記第１部分と前記第２対向コンタクトの前記第１部分との間に、前記第１導電部材を挿入するための第１空間が形成されており、
前記第１対向コンタクトの前記第２部分と前記第２対向コンタクトの前記第２部分との間に、前記第２導電部材を挿入するための第２空間が形成されていることを特徴とする、電気コネクタ。
【請求項３】
請求項２に記載の電気コネクタであって、
各前記対向コンタクトの前記支点部同士を連結する、連結部を更に含んでいることを特徴とする、電気コネクタ。
【請求項４】
請求項１乃至請求項３の何れか１項に記載の電気コネクタであって、
前記コンタクトは、一対設けられており、
一対の前記コンタクトは、横並びに離隔して配置された第１並行コンタクト及び第２並行コンタクトを有し、
前記第１並行コンタクトが前記第１導電部材及び前記第２導電部材を向く方向と、前記第２並行コンタクトが前記第１導電部材及び前記第２導電部材を向く方向とは、同じに設定されていることを特徴とする、電気コネクタ。
【請求項５】
請求項１乃至請求項４の何れか１項に記載の電気コネクタであって、
前記第１導電部材が前記第１部分から外れることを規制するための、規制部材を更に備えていることを特徴とする、電気コネクタ。
【発明の詳細な説明】
【技術分野】
【０００１】
本発明は、２つの導電部材を電気的に接続するための電気コネクタに関する。
【背景技術】
【０００２】
２つの導電部材を電気的に接続するための端子が知られている（例えば、特許文献１，２参照）。
【０００３】
特許文献１に記載の中継端子は、四角筒状に形成されており、向かい合う一対の側壁を有している。これらの側壁には、弾性片部からなる接続片が複数設けられている。一方の側壁の接続片と、他方の側壁の接続片とで、一対の接続片が構成されている。一対の接続片は、複数設けられている。各一対の接続片間に、異なる雄型端子を挿入することで、複数の雄型端子同士が、電気的に接続される。
【０００４】
特許文献２に記載の中継端子は、筒状の雌端子部が設けられている。２つの雌端子部は、容易に変形可能な緩衝部によって、結合されている。各雌端子部に、異なる雄端子を挿入することで、複数の雄端子同士が、電気的に接続される。
【先行技術文献】
【特許文献】
【０００５】
【特許文献１】特開２００１−３１３１３２号公報（［要約］）
【特許文献２】特開２００５−１２９３９０号公報（［要約］）
【発明の概要】
【発明が解決しようとする課題】
【０００６】
しかしながら、特許文献１に記載の構成では、各一対の接触片は、独立した構成であり、ある一対の接触片が、他の一対の接触片と雄端子との接触圧を高める構成ではない。
【０００７】
また、特許文献２に記載の構成では、各雌端子部は、緩衝部を介して結合されているため、一方の雌端子部が他方の雌端子部と雄端子との接触圧を高める構成ではない。
【０００８】
本発明は、上記実情に鑑みることにより、複数の導電部材同士を電気的に接続するための電気コネクタにおいて、電気的な接続を、より確実に維持できるようにすることを目的とする。
【課題を解決するための手段】
【０００９】
（１）上記課題を解決するために、この発明のある局面に係わる電気コネクタは、導電性を有するコンタクトを備え、前記コンタクトは、所定の第１導電部材と接触するための第１部分と、所定の第２導電部材と接触するための第２部分と、前記第１部分及び前記第２部分の間に配置された支点部と、を有するシーソー構造を含み、一方の前記部分及び導電部材の接触により、他方の前記部分及び導電部材が互いに加圧されることを特徴とする。
【００１０】
この構成によると、第１部分及び第２部分の何れか一方（主部分）と、対応する導電部材とが接触する。これにより、コンタクトが、主部分を力点とし且つ支点部を支点として、変位する。これにより、第１部分及び第２部分の何れか他方（従部分）が、作用点として、当該従部分と接触する導電部材側へ変位する。したがって、従部分と対応する導電部材とが、所定の接触圧を生じるように接触する。また、従部分が対応する導電部材から受ける反力は、主部分を、対応する導電部材に加圧する力となる。よって、主部分及び従部分は、何れも、対応する導電部材と十分な接触圧で接触できる。その結果、コンタクトを介した、第１導電部材と第２導電部材との電気的な接続を、より確実に維持できる。
【００１１】
（２）好ましくは、前記コンタクトは、一対設けられており、一対の前記コンタクトは、互いに向かい合う第１対向コンタクト及び第２対向コンタクトを有し、前記第１対向コンタクトの前記第１部分と前記第２対向コンタクトの前記第１部分との間に、前記第１導電部材を挿入するための第１空間が形成されており、前記第１対向コンタクトの前記第２部分と前記第２対向コンタクトの前記第２部分との間に、前記第２導電部材を挿入するための第２空間が形成されている。
【００１２】
この構成によると、一対の主部分間に対応する導電部材が挿入されることで、一対の従部分間の間隔を狭くしようとする力が、各対向コンタクトに生じる。これにより、一対の従部分間は、当該一対の従部分間に配置された導電部材に加圧される。また、一対の従部分が対応する導電部材から受ける反力は、一対の主部分を、対応する導電部材に加圧する力となる。このように、各導電部材と各対向コンタクトとの接触圧を、より一層高くできる。その結果、コンタクトを介した、第１導電部材と第２導電部材との電気的な接続を、より確実に維持できる。また、第１対向コンタクトと第２対向コンタクトとの間の導電部材にこじり運動が生じても、このこじり運動に追従するように、第１対向コンタクト及び第２対向コンタクトが変位できる。これにより、コンタクトを介した、第１導電部材と第２導電部材との電気的な接続を、より確実に維持できる。
【００１３】
（３）より好ましくは、前記電気コネクタは、各前記対向コンタクトの前記支点部同士を連結する、連結部を更に含んでいる。
【００１４】
この構成によると、各コンタクトは、より確実に、支点部を支点とするシーソー運動を行うことができる。
【００１５】
（４）好ましくは、前記コンタクトは、一対設けられており、一対の前記コンタクトは、横並びに離隔して配置された第１並行コンタクト及び第２並行コンタクトを有し、前記第１並行コンタクトが前記第１導電部材及び前記第２導電部材を向く方向と、前記第２並行コンタクトが前記第１導電部材及び前記第２導電部材を向く方向とは、同じに設定されている。
【００１６】
この構成によると、一対の横並びコンタクトが互いに分離された状態で配置されている。このため、導電部材がねじれるように変位した場合でも、一対の横並びコンタクトは、このねじれ運動に追従する変位を生じ易い。これにより、導電部材と、各並行コンタクトとの接触状態を、より確実に維持できる。
【００１７】
（５）好ましくは、前記電気コネクタは、前記第１導電部材が前記第１部分から外れることを規制するための、規制部材を更に備えている。
【００１８】
この構成によると、コンタクトから第１導電部材が不用意に外れることを、抑制できる。
【発明の効果】
【００１９】
本発明によると、複数の導電部材同士を電気的に接続するための電気コネクタにおいて、電気的な接続を、より確実に維持できる。
【図面の簡単な説明】
【００２０】
【図１】本発明の実施形態に係る電気コネクタが、ブスバーと電線体とを電気的に接続している状態を示す、斜視図である。
【図２】電気コネクタ、ブスバー及び電線体が互いに分離した状態を示す、斜視図である。
【図３】図１のＩＩＩ−ＩＩＩ線に沿う断面図であり、電気コネクタ、ブスバー、及び電線体を側方から見た状態を示している。
【図４】コンタクト装置の斜視図である。
【図５】第１コンタクト形成体の斜視図であり、第１コンタクト形成体を正面側から見た状態を示している。
【図６】（Ａ）は、第１コンタクト形成体の平面図であり、（Ｂ）は、第１コンタクト形成体の側面図であり、（Ｃ）は、第１コンタクト形成体の正面図である。
【図７】（Ａ）は、リテーナの平面図であり、（Ｂ）は、リテーナの側面図であり、（Ｃ）は、リテーナの正面図であり、（Ｄ）は、リテーナの正面図である。
【図８】（Ａ）は、カバーの平面図である。図８（Ｂ）は、カバーの側面図である。図８（Ｃ）は、カバーの背面図である。
【図９】図３のＩＸ−ＩＸ線に沿う断面図である。
【図１０】図３のＸ−Ｘ線に沿う断面図である。
【図１１】図１のＸＩ−ＸＩ線に沿う一部断面図であり、電気コネクタは、リテーナのピンが表示されないように切断された状態で示されている。
【図１２】（Ａ）は、ハウジングの正面図であり、（Ｂ）は、ハウジングの側面図であり、（Ｃ）は、ハウジングの背面図である。
【図１３】（Ａ）は、ハウジングの平面図であり、（Ｂ）は、ハウジングの底面図である。
【図１４】ブスバー及び圧着端子と、第１コンタクト形成体とを接続させる動作を説明するための、主要部を示す図である。より具体的には、（Ａ）は、接続前の状態を示す側面図である。（Ｂ）は、接続途中の状態を示す側面図である。（Ｃ）は、接続完了状態を示す側面図である。（Ｄ）は、図１４（Ｃ）と同じ状態を示す斜視図である。
【図１５】（Ａ）は、本発明の第１変形例に係るコンタクト装置の斜視図であり、（Ｂ）は、図１５（Ａ）に示すコンタクト装置の正面図であり、（Ｃ）は、図１５（Ａ）に示すコンタクト装置の底面図である。
【図１６】（Ａ）は、本発明の第２変形例に係るコンタクト装置の斜視図であり、（Ｂ）は、図１６（Ａ）に示すコンタクト装置の正面図であり、（Ｃ）は、図１６（Ａ）に示すコンタクト装置の底面図である。
【図１７】（Ａ）は、本発明の第３変形例に係るコンタクト装置の斜視図であり、（Ｂ）は、図１７（Ａ）に示すコンタクト装置の正面図であり、（Ｃ）は、図１７（Ａ）に示すコンタクト装置の底面図である。
【図１８】（Ａ）は、本発明の第４変形例に係るコンタクト装置の斜視図であり、（Ｂ）は、図１８（Ａ）に示すコンタクト装置の正面図であり、（Ｃ）は、図１８（Ａ）に示すコンタクト装置の底面図である。
【図１９】（Ａ）は、本発明の第５変形例に係るコンタクト装置の斜視図であり、（Ｂ）は、図１９（Ａ）に示すコンタクト装置の正面図であり、（Ｃ）は、図１９（Ａ）に示すコンタクト装置の底面図である。
【図２０】（Ａ）は、本発明の第６変形例に係るコンタクト装置の斜視図であり、（Ｂ）は、図２０（Ａ）に示すコンタクト装置の正面図であり、（Ｃ）は、図２０（Ａ）に示すコンタクト装置の底面図である。
【図２１】本発明の第７変形例に係る電気コネクタ、及びブスバーの斜視図であり、（Ａ）は、電気コネクタにブスバー及び電線体が接続されていない状態を示しており、（Ｂ）は、電気コネクタにブスバー及び電線体が接続された状態を示している。
【図２２】（Ａ）は、本発明の第８変形例に係る電気コネクタの断面図であり、（Ｂ）は、コンタクト装置の底面図である。
【発明を実施するための形態】
【００２１】
以下、本発明を実施するための形態について図面を参照しつつ説明する。尚、本発明は、電気コネクタとして、種々の用途に広く適用することができる。
【００２２】
図１は、本発明の実施形態に係る電気コネクタ１０が、ブスバー１と電線体２とを電気的に接続している状態を示す、斜視図である。図２は、電気コネクタ１０、ブスバー１及び電線体２が互いに分離した状態を示す、斜視図である。
【００２３】
図１及び図２を参照して、電気コネクタ１０は、ブスバー（第１導電部材）１と、電線体２とを電気的且つ機械的に接続するために設けられている。尚、この場合の「機械的に接続」とは、ブスバー１の一端部１ａと電線体２の一端部の圧着端子４とが、電気コネクタ１０を介して互いに固定されていることをいう。
【００２４】
ブスバー１は、金属等の導電材料を用いて形成されている。本実施形態では、ブスバー１は、細長い薄板状に形成されている。ブスバー１は、例えば、電動モータ等の負荷と電気的に接続されている。負荷が電動モータである場合、ブスバー１は、例えば、ブラシレスモータのステータコイル、ブラシモータのブラシ等に、電気的に接続されている。
【００２５】
尚、ブスバー１が接続される負荷は、電動モータ以外の他の機器であってもよい。本実施形態では、ブスバー１は、強電用の導電部材として設けられており、数十ｋｗ程度の大出力の電動モータに接続されている。ブスバー１の一端部１ａは、矩形の帯状に形成されている。この一端部１ａには、孔部１ｂが形成されている。
【００２６】
電線体２は、例えば、バッテリー等の電源と電気的に接続されている。電源からの電力は、電線体２、電気コネクタ１０、及びブスバー１を介して、電気モータ等の負荷へ出力される。電線体２は、被覆電線３と、圧着端子（第２導電部材）４と、を有している。
【００２７】
被覆電線３は、被覆部３ａと、複数の芯線３ｂと、を有している。被覆部３ａは、合成樹脂等の絶縁性の材料を用いて形成された、筒状の部材である。被覆部３ａは、複数の芯線３ｂの大部分を、全周に亘って覆っている。被覆部３ａの一端部から、芯線３ｂが突出している。
【００２８】
芯線３ｂは、金属等の導電材料を用いて形成されている。尚、本実施形態では、電線体２として、複数の芯線３ｂを有する形態を例に説明するけれども、この通りでなくてもよい。例えば、電線体２における芯線３ｂの数は、１でもよい。芯線３ｂの一端部は、圧着端子４に固定されており、芯線３ｂの他端部は、前述の電源に接続されている。
【００２９】
圧着端子４は、金属などの導電材料を用いて形成されている。圧着端子４は、固定部４ａと、舌片部４ｂと、を有している。固定部４ａは、筒状に形成されており、複数の芯線３ｂの一端部と嵌合している。固定部４ａは、複数の芯線３ｂの一端部に圧着されている。固定部４ａの縁部から、舌片部４ｂが延びている。
【００３０】
舌片部４ｂは、例えば、円環状に形成された、平板状の小片部材であり、孔部４ｃを有している。本実施形態では、ブスバー１及び圧着端子４が電気コネクタ１０に接続されている状態において、ブスバー１と舌片部４ｂとは、平行に並んでいる。上記の構成を有する圧着端子４は、電気コネクタ１０内に挿入される。
【００３１】
［電気コネクタの詳細な構成］
電気コネクタ１０は、全体として、細長いブロック状に形成されている。尚、以下では、電気コネクタ１０の長手方向を、長手方向Ｘ１という。また、電気コネクタ１０の平面視において、長手方向Ｘ１と直交する幅方向を、幅方向Ｙ１という。また、長手方向Ｘ１及び幅方向Ｙ１の双方と直交する方向を、厚み方向Ｚ１という。
【００３２】
図３は、図１のＩＩＩ−ＩＩＩ線に沿う断面図であり、電気コネクタ１０、ブスバー１、及び電線体２を側方から見た状態を示している。
【００３３】
図３を参照して、電気コネクタ１０は、コンタクト装置１１と、ハウジング１２と、カバー１３と、リテーナ１４，１５と、を有している。
【００３４】
［コンタクト装置の詳細な構成］
コンタクト装置１１は、ブスバー１及び圧着端子４のそれぞれと直接接触することで、ブスバー１と圧着端子４とを、電気的に接続する。本実施形態では、コンタクト装置１１は、シーソー構造を有している。これにより、コンタクト装置１１からブスバー１に作用する接触圧が、十分に高くされ、且つ、コンタクト装置１１から圧着端子４に作用する接触圧が、十分に高くされている。
【００３５】
図４は、コンタクト装置１１の斜視図である。図３及び図４を参照して、コンタクト装置１１は、導電性を有する材料を用いて形成されている。コンタクト装置１１は、例えば、銅合金を素材として構成されている。そして、コンタクト装置１１の表面には、例えば、すずめっき又は金めっき、等のめっき処理が施されている。コンタクト装置１１は、ハウジング１２の後述するコンタクト収容部４３に収容されている。
【００３６】
コンタクト装置１１は、第１コンタクト形成体２１と、第２コンタクト形成体２２と、を有している。
【００３７】
第１コンタクト形成体２１と、第２コンタクト形成体２２とは、幅方向Ｙ１に対称な形状に形成されている。本実施形態では、第１コンタクト形成体２１と、第２コンタクト形成体２２とは、別部材を用いて形成されており、互いに離隔した状態で、ハウジング１２内に配置されている。
【００３８】
尚、第１コンタクト形成体２１と、第２コンタクト形成体２２は、互いに同様の形状を有している。したがって、以下では、コンタクト形成体２１，２２の中で、第１コンタクト形成体２１の構成を主に説明する。
【００３９】
［第１コンタクト形成体の詳細な構成］
図５は、第１コンタクト形成体２１の斜視図であり、第１コンタクト形成体２１を正面側から見た状態を示している。図６（Ａ）は、第１コンタクト形成体２１の平面図である。図６（Ｂ）は、第１コンタクト形成体２１の側面図である。図６（Ｃ）は、第１コンタクト形成体２１の正面図である。
【００４０】
図３、図５、図６（Ａ）、図６（Ｂ）及び図６（Ｃ）を参照して、第１コンタクト形成体２１は、上述した導電性の板部材に、プレス加工及び曲げ加工を施すことで、形成されている。本実施形態では、第１コンタクト形成体２１の全体が、単一の材料を用いて一体に形成されている。
【００４１】
第１コンタクト形成体２１は、長手方向Ｘ１に細長い第１コンタクト１００と、長手方向Ｘ１に細長い第２コンタクト２００と、第１コンタクト１００及び第２コンタクト２００を互いに連結する連結部２３と、を有している。
【００４２】
第１コンタクト１００及び第２コンタクト２００は、本発明の「互いに向かい合う第１対向コンタクト及び第２対向コンタクト」の一例である。
【００４３】
本実施形態では、第１コンタクト形成体２１は、平面視（図６（Ａ））において、Ｔ字状に形成されており、長手方向Ｘ１に対称な形状を有している。また、第１コンタクト形成体２１は、側面視（図６（Ｂ））において、Ｉ字状に形成されており、厚み方向Ｚ１に対称な形状に形成され、且つ、長手方向Ｘ１に対称な形状に形成されている。また、第１コンタクト形成体２１は、正面視（図６（Ｃ））において、Ｕ字状に形成されており、厚み方向Ｚ１に対称な形状に形成されている。
【００４４】
［第１コンタクトの詳細な構成］
第１コンタクト１００は、ブスバー１の一端部１ａの表面、及び圧着端子４の舌片部４ｂの表面に接触するために設けられている。第１コンタクト１００の厚み方向が厚み方向Ｚ１となるように、第１コンタクト１００が配置されている。
【００４５】
第１コンタクト１００は、長手方向Ｘ１に進むに従い、起伏を有する形状に形成されている。第１コンタクト１００は、シーソー構造を有している。具体的には、図５に良く示されているように、第１コンタクト１００は、支点部１０１と、第１中継部１０２と、第１部分１０３と、第１ガイド部１０４と、第２中継部１０５と、第２部分１０６と、第２ガイド部１０７と、を有している。
【００４６】
支点部１０１は、第１コンタクト１００の支点部として設けられており、第１部分１０３及び第２部分１０６間に配置されている。即ち、側面視において、第１コンタクト１００は、支点部１０１を中心として、矢印Ｄ１方向に揺動可能である。矢印Ｄ１方向は、側面視において、連結部２３を中心とする円周方向である。実施形態では、支点部１０１は、厚み方向Ｚ１と直交するように延びている。支点部１０１は、第２コンタクト形成体２２と向かい合う縁部を有しており、この縁部には、切欠部１０８が形成されている。また、支点部１０１は、切欠部１０８が形成されている縁部と幅方向Ｙ１に並ぶ縁部を有しており、この縁部は、連結部２３と連続している。連結部２３の詳細は、後述する。上記の構成を有する支点部１０１は、第１中継部１０２と連続している。
【００４７】
第１中継部１０２は、支点部１０１と第１部分１０３とを繋ぐ部分として設けられている。本実施形態では、第１中継部１０２は、側面視において、Ｓ字状に形成されており、長手方向Ｘ１に沿って支点部１０１から遠ざかるに従い、第２コンタクト２００に近づいている。第１中継部１０２は、第１部分１０３と連続している。
【００４８】
第１部分１０３は、ブスバー１の一端部１ａと直接接触するための部分として設けられている。第１部分１０３は、支点部１０１に対して傾斜している。具体的には、第１部分１０３は、長手方向Ｘ１に沿って支点部１０１から遠ざかるに従い、第２コンタクト２００に近づくように延びている。本実施形態では、第１部分１０３は、平坦な部分である。自由状態（外力の作用していない状態）において、支持部１０１に対する第１部分１０３の傾斜角度θ１は、数度程度に設定されている。これにより、コンタクト装置１１にブスバー１が挿入されたときに、第１部分１０３とブスバー１とは、略平行となる。第１部分１０３は、第２コンタクト２００と向かい合う一側面を有しており、この一側面が、ブスバー１の表面と接触する。
【００４９】
第１部分１０３は、第２コンタクト形成体２２と向かい合う縁部を有しており、この縁部には、ピン通し部１０９が形成されている。ピン通し部１０９は、支点部１０１を、厚み方向Ｚ１に貫通している。ピン通し部１０９は、リテーナ１４の後述するピン１４ｂが嵌められる部分として設けられている。ピン通し部１０９は、平面視で円弧状に形成されている。第１部分１０３は、ブスバー１の表面と十分な接触面積を確保可能な大きさを有している。第１部分１０３の先端部から、第１ガイド部１０４が延びている。
【００５０】
第１ガイド部１０４は、第１コンタクト１００と第２コンタクト２００との間の第１空間Ｓ１への、ブスバー１の挿入を案内する部分として設けられている。第１ガイド部１０４は、第１ガイド部１０４から遠ざかるに従い、第２コンタクト２００から遠ざかるように延びている。
【００５１】
第１ガイド部１０４の幅（第１部分１０３の先端部の幅）と比べて、第１部分１０３の基端部の幅、及び支点部１０１の幅は、大きく設定されている。このような構成であれば、第１コンタクト１００と第２コンタクト２００との間の第１空間Ｓ１へブスバー１が挿入される際、第１コンタクト１００の先端を撓ませ易くできる。よって、ブスバー１の挿入作業は、容易である。また、ブスバー１からの反力は、第１コンタクト１００において剛性の高い第１部分１０３の基端部、第１中継部１０２、及び支点部１０１に確実に伝わる。これにより、支点部１０１を中心とした、第１コンタクト１００のシーソー運動を、確実に行うことができる。支点部１０１からは、第２中継部１０５が延びている。
【００５２】
第２中継部１０５は、支点部１０１と第２部分１０６とを繋ぐ部分として設けられている。本実施形態では、第２中継部１０５は、側面視において、Ｓ字状に形成されており、長手方向Ｘ１に沿って支点部１０１から遠ざかるに従い、第２コンタクト２００に近づいている。第２中継部１０５は、第２部分１０６と連続している。
【００５３】
第２部分１０６は、圧着端子４の舌片部４ｂと直接接触するための部分として設けられている。第２部分１０６は、支点部１０１に対して傾斜している。具体的には、第２部分１０６は、長手方向Ｘ１に沿って支点部１０１から遠ざかるに従い、第２コンタクト２００に近づくように延びている。本実施形態では、第２部分１０６は、平坦部分である。自由状態において、支点部１０１に対する第２部分１０６の傾斜角度θ２は、数度程度に設定されている。これにより、コンタクト装置１１に舌片部４ｂが挿入されたときに、第２部分１０６と舌片部４ｂとは、略平行となる。第２部分１０６は、第２コンタクト２００と向かい合う一側面を有しており、この一側面が、舌片部４ｂの表面と接触する。
【００５４】
第２部分１０６は、第２コンタクト形成体２２と向かい合う縁部を有しており、この縁部には、ピン通し部１１０が形成されている。ピン通し部１１０は、支点部１０１を、厚み方向Ｚ１に貫通している。ピン通し部１１０は、リテーナ１５の後述するピン１５ｂが嵌められる部分として設けられている。ピン通し部１１０は、平面視で円弧状に形成されている。第２部分１０６は、舌片部４ｂの表面と十分な接触面積を確保可能な大きさを有している。第２部分１０６の先端部から、第２ガイド部１０７が延びている。
【００５５】
第２ガイド部１０７は、第１コンタクト１００と第２コンタクト２００との間の第２空間Ｓ２への、舌片部４ｂの挿入を案内する部分として設けられている。第２ガイド部１０７は、第２ガイド部１０７から遠ざかるに従い、第２コンタクト２００から遠ざかるように延びている。
【００５６】
第２ガイド部１０７の幅（第２部分１０６の先端部の幅）と比べて、第２部分１０６の基端部の幅、及び支点部１０１の幅は、大きく設定されている。このような構成であれば、第１コンタクト１００と第２コンタクト２００との間の第２空間Ｓ２へ舌片部４ｂが挿入される際、第１コンタクト１００の先端を撓ませ易くできる。よって、舌片部４ｂの挿入作業は、容易である。また、舌片部４ｂからの反力は、第１コンタクト１００において剛性の高い第２部分１０６の基端部、第２中継部１０５、及び支点部１０１に確実に伝わる。これにより、支点部１０１を中心とした、第１コンタクト１００のシーソー運動を、確実に行うことができる。
【００５７】
上記の構成を有する第１コンタクト１００は、第２コンタクト２００と厚み方向Ｚ１に並んでいる。本実施形態では、第１コンタクト１００と、第２コンタクト２００とは、厚み方向Ｚ１に対称な形状である。
【００５８】
［第２コンタクトの詳細な構成］
第２コンタクト２００は、ブスバー１の一端部１ａの裏面、及び圧着端子４の舌片部４ｂの裏面に接触するために設けられている。第２コンタクト２００の厚み方向が厚み方向Ｚ１となるように、第２コンタクト２００が配置されている。
【００５９】
第２コンタクト２００は、ハウジング１２のカバー１３に隣接するように配置されている。第２コンタクト２００は、長手方向Ｘ１に進むに従い、起伏を有する形状に形成されている。
【００６０】
第２コンタクト２００は、シーソー構造を有している。具体的には、図５に良く示されているように、第２コンタクト２００は、支点部２０１と、第１中継部２０２と、第１部分２０３と、第１ガイド部２０４と、第２中継部２０５と、第２部分２０６と、第２ガイド部２０７と、を有している。
【００６１】
支点部２０１は、第２コンタクト２００の支点部として設けられており、第１部分２０３及び第２部分２０６間に配置されている。即ち、側面視において、第２コンタクト２００は、支点部２０１を中心として、矢印Ｄ１方向に揺動可能である。本実施形態では、支点部２０１は、厚み方向Ｚ１と直交するように延びている。支点部２０１は、第２コンタクト形成体２２と向かい合う縁部を有しており、この縁部には、切欠部２０８が形成されている。また、支点部２０１は、切欠部２０８が形成されている縁部と幅方向Ｙ１に並ぶ縁部を有しており、この縁部は、連結部２３と連続している。連結部２３の詳細は、後述する。上記の構成を有する支点部２０１は、第１中継部２０２と連続している。
【００６２】
第１中継部２０２は、支点部２０１と第１部分２０３とを繋ぐ部分として設けられている。本実施形態では、第１中継部２０２は、側面視において、Ｓ字状に形成されており、長手方向Ｘ１に沿って支点部２０１から遠ざかるに従い、第１コンタクト１００に近づいている。第１中継部２０２は、第１部分２０３と連続している。
【００６３】
第１部分２０３は、ブスバー１の一端部１ａと直接接触するための部分として設けられている。第１部分２０３は、支点部２０１に対して傾斜している。具体的には、第１部分２０３は、長手方向Ｘ１に沿って支点部２０１から遠ざかるに従い、第１コンタクト１００に近づくように延びている。本実施形態では、第１部分２０３は、平坦な部分である。自由状態において、支点部２０１に対する第１部分２０３の傾斜角度θ３は、数度程度に設定されている。これにより、第１部分１０３，２０３間の第１空間Ｓ１にブスバー１が挿入されたときに、第１部分２０３とブスバー１とは、略平行となる。尚、本実施形態では、傾斜角度θ１＝θ３に設定されているけれども、この通りでなくてもよい。例えば、θ１＞θ３であってもよいし、θ１＜θ３であってもよい。第１部分２０３は、第１コンタクト１００と向かい合う一側面を有しており、この一側面が、ブスバー１の裏面と接触する。
【００６４】
第１部分２０３は、第２コンタクト形成体２２と向かい合う縁部を有しており、この縁部には、ピン通し部２０９が形成されている。ピン通し部２０９は、第１部分２０３を、厚み方向Ｚ１に貫通している。ピン通し部２０９は、リテーナ１４の後述するピン１４ｂが嵌められる部分として設けられている。ピン通し部２０９は、平面視で円弧状に形成されている。第１部分２０３は、ブスバー１の裏面と十分な接触面積を確保可能な大きさを有している。第１部分２０３の先端部から、第１ガイド部２０４が延びている。
【００６５】
第１ガイド部２０４は、第１部分１０３，２０３間の第１空間Ｓ１への、ブスバー１の挿入を案内する部分として設けられている。第１ガイド部２０４は、第１ガイド部２０４から遠ざかるに従い、第１コンタクト１００から遠ざかるように延びている。
【００６６】
第１ガイド部２０４の幅（第１部分２０３の先端部の幅）と比べて、第１部分２０３の基端部の幅、及び支点部２０１の幅は、大きく設定されている。このような構成であれば、第１コンタクト１００と第２コンタクト２００との間の第１空間Ｓ１へブスバー１が挿入される際、第２コンタクト２００の先端を撓ませ易くできる。よって、ブスバー１の挿入作業は、容易である。また、ブスバー１からの反力は、第２コンタクト２００において剛性の高い第１部分２０３の基端部、第１中継部２０５、及び点部２０１に確実に伝わる。これにより、支点部２０１を中心とした、第２コンタクト２００のシーソー運動を、確実に行うことができる。支点部２０１からは、第２中継部２０５が延びている。
【００６７】
第２中継部２０５は、支点部２０１と第２部分２０６とを繋ぐ部分として設けられている。本実施形態では、第２中継部２０５は、側面視において、Ｓ字状に形成されており、長手方向Ｘ１に沿って支点部２０１から遠ざかるに従い、第１コンタクト１００に近づいている。第２中継部２０５は、第２部分２０６と連続している。
【００６８】
第２部分２０６は、圧着端子４の舌片部４ｂと直接接触するための部分として設けられている。第２部分２０６は、支点部２０１に対して傾斜している。具体的には、第２部分２０６は、長手方向Ｘ１に沿って支点部２０１から遠ざかるに従い、第１コンタクト１００に近づくように延びている。本実施形態では、第２部分２０６は、平坦部分である。自由状態において、支点部２０１に対する第２部分１０６の傾斜角度θ４は、数度程度に設定されている。これにより、第２部分１０６，２０６間の第２空間Ｓ２に舌片部４ｂが挿入されたときに、第２部分２０６と舌片部４ｂとは、略平行となる。尚、本実施形態では、傾斜角度θ２＝θ４に設定されているけれども、この通りでなくてもよい。例えば、θ２＞θ４であってもよいし、θ２＜θ４であってもよい。第２部分２０６は、第１コンタクト１００と向かい合う一側面を有しており、この一側面が、舌片部４ｂの裏面と接触する。
【００６９】
第２部分２０６は、第２コンタクト形成体２２と向かい合う縁部を有しており、この縁部には、ピン通し部２１０が形成されている。ピン通し部２１０は、第２部分２０６を、厚み方向Ｚ１に貫通している。ピン通し部２１０は、リテーナ１５の後述するピン１５ｂが嵌められる部分として設けられている。ピン通し部２１０は、平面視で円弧状に形成されている。第２部分２０６は、舌片部４ｂの裏面と十分な接触面積を確保可能な大きさを有している。第２部分２０６の先端部から、第２ガイド部２０７が延びている。
【００７０】
第２ガイド部２０７は、第１コンタクト１００と第２コンタクト２００との間の第２空間Ｓ２への、舌片部４ｂの挿入を案内する部分として設けられている。第２ガイド部２０７は、第２ガイド部２０７から遠ざかるに従い、第１コンタクト１００から遠ざかるように延びている。
【００７１】
第２ガイド部２０７の幅（第２部分２０６の先端部の幅）と比べて、第２部分２０６の基端部の幅、及び支点部２０１の幅、大きく設定されている。このような構成であれば、第１コンタクト１００と第２コンタクト２００の第２部分１０６，２０６間の第２空間Ｓ２へ舌片部４ｂが挿入される際、第２コンタクト２００の先端を撓ませ易くできる。よって、舌片部４ｂの挿入作業は、容易である。また、舌片部４ｂからの反力は、第２コンタクト２００において剛性の高い第２部分２０６の基端部、第２中継部２０５、及び支点部２０１に確実に伝わる。これにより、支点部２０１を中心とした、第２コンタクト２００のシーソー運動を確実に行うことができる。
【００７２】
上記の構成を有する第１コンタクト１００及び第２コンタクト２００は、連結部２３によって、互いに連結されている。
【００７３】
［連結部の詳細な構成］
連結部２３は、第１コンタクト１００の支点部１０１と、第２コンタクト２００の支点部２０１と、を繋いでいる。本実施形態では、連結部２３は、正面視において、Ｕ字状に形成されている。平面視において、連結部２３は、第１コンタクト１００及び第２コンタクト２００と重ならないように配置されている。連結部２３は、支点部１０１，２０１における、切欠部１０８，２０８が形成されている縁部とは反対側の縁部に連続している。厚み方向Ｚ１における連結部２３の一端部は、略９０°折り曲げられた状態で、支点部１０１に連続している。同様に、厚み方向Ｚ１における連結部２３の他端部は、略９０°折り曲げられた状態で、支点部２０１に連続している。長手方向Ｘ１における連結部２３の長さに応じて、コンタクト１００，２００のシーソー運動のし易さが決定される。
【００７４】
図４及び図５を参照して、上記の構成を有する第１コンタクト形成体２１は、前述したように、第２コンタクト形成体２２と、幅方向Ｙ１に対称な形状となるように配置されている。
【００７５】
［第２コンタクト形成体の構成の詳細］
第２コンタクト形成体２２は、長手方向Ｘ１に細長い第３コンタクト３００と、長手方向Ｘ１に細長い第４コンタクト４００と、第３コンタクト３００及び第４コンタクト４００を互いに連結する連結部２４と、を有している。
【００７６】
第３コンタクト３００及び第４コンタクト４００は、本発明の「互いに向かい合う第１対向コンタクト及び第２対向コンタクト」の一例である。
【００７７】
また、第１コンタクト１００及び第３コンタクト３００は、本発明の「横並びに離隔して配置された第１並行コンタクト及び第２並行コンタクト」の一例である。同様に、第２コンタクト２００及び第４コンタクト４００は、本発明の「横並びに離隔して配置された第１並行コンタクト及び第２並行コンタクト」の一例である。
【００７８】
［第３コンタクトの詳細な構成］
第３コンタクト３００は、第１コンタクト１００と同様の構成を有しており、シーソー構造を有している。より具体的には、第３コンタクト３００は、支点部３０１と、第１中継部３０２と、第１部分３０３と、第１ガイド部３０４と、第２中継部３０５と、第２部分３０６と、第２ガイド部３０７と、を有している。
【００７９】
第３コンタクト３００の支点部３０１、第１中継部３０２、第１部分３０３、第１ガイド部３０４、第２中継部３０５、第２部分３０６、及び第２ガイド部３０７は、それぞれ、第１コンタクト１００の対応する支点部１０１、第１中継部１０２、第１部分１０３、第１ガイド部１０４、第２中継部１０５、第２部分１０６、及び第２ガイド部１０７と、同様の構成を有している。
【００８０】
第３コンタクト３００の支点部３０１は、第１コンタクト形成体２１と向かい合う縁部を有しており、この縁部には、切欠部３０８が形成されている。切欠部３０８は、切欠部１０８と同様の構成を有している。
【００８１】
第３コンタクト３００の第１部分３０３は、第１コンタクト形成体２１と向かい合う縁部を有しており、この縁部には、ピン通し部３０９が形成されている。ピン通し部１０９，３０９間の空間に、リテーナ１４のピン１４ｂが挿入される。
【００８２】
第３コンタクト３００の第２部分３０６は、第１コンタクト形成体２１と向かい合う縁部を有しており、この縁部には、ピン通し部３１０が形成されている。ピン通し部１１０，３１０間の空間に、リテーナ１５のピン１５ｂが挿入される。
【００８３】
［第４コンタクトの詳細な構成］
第４コンタクト４００は、第２コンタクト２００と同様の構成を有しており、シーソー構造を有している。より具体的には、第４コンタクト４００は、支点部４０１と、第１中継部４０２と、第１部分４０３と、第１ガイド部４０４と、第２中継部４０５と、第２部分４０６と、第２ガイド部４０７と、を有している。
【００８４】
第４コンタクト４００の支点部４０１、第１中継部４０２、第１部分４０３、第１ガイド部４０４、第２中継部４０５、第２部分４０６、及び第２ガイド部４０７は、それぞれ、第２コンタクト２００の対応する支点部２０１、第１中継部２０２、第１部分２０３、第１ガイド部２０４、第２中継部２０５、第２部分２０６、及び第２ガイド部２０７と、同様の構成を有している。
【００８５】
第４コンタクト４００の支点部４０１は、第１コンタクト形成体２１と向かい合う縁部を有しており、この縁部には、切欠部４０８が形成されている。切欠部４０８は、切欠部２０８と同様の構成を有している。
【００８６】
第４コンタクト４００の第１部分４０３は、第１コンタクト形成体２１と向かい合う縁部を有しており、この縁部には、ピン通し部４０９（図４では図示せず）が形成されている。ピン通し部２０９，４０９間の空間に、リテーナ１４のピン１４ｂが挿入される。
【００８７】
第４コンタクト４００の第２部分４０６は、第１コンタクト形成体２１と向かい合う縁部を有しており、この縁部には、ピン通し部４１０（図４では図示せず）が形成されている。ピン通し部１１０，４１０間の空間に、リテーナ１５のピン１５ｂが挿入される。
【００８８】
上記の構成を有する第３コンタクト３００及び第４コンタクト４００は、連結部２４によって、互いに連結されている。連結部２４は、第１コンタクト形成体２１の連結部２３と同様の構成を有しており、支点部３０１，４０１に連続している。
【００８９】
上記の構成により、第２コンタクト形成体２２の第１部分３０３，４０３間にも、ブスバー１を挿入するための第１空間Ｓ１が形成されている。また、第２コンタクト形成体２２の第２部分３０６，４０６間にも、圧着端子４の舌片部４ｂを挿入するための第２空間Ｓ２が形成されている。
【００９０】
図３及び図４を参照して、上記の構成により、コンタクト１００，２００，３００，４００にブスバー１及び圧着端子４接続されている状態において、第１コンタクト１００がブスバー１及び圧着端子４を向く方向と、第３コンタクト３００がブスバー１及び圧着端子４を向く方向とは、同じ（厚み方向Ｚ１の一方）に設定されている。同様に、第２コンタクト２００がブスバー１及び圧着端子４を向く方向と、第４コンタクト４００がブスバー１及び圧着端子４を向く方向とは、同じ（厚み方向Ｚ１の他方）に設定されている。
【００９１】
以上が、コンタクト装置１１の概略構成である。次に、コンタクト装置１１に取り付けられるリテーナ１４，１５の詳細を説明する。
【００９２】
［リテーナの詳細な構成］
図７（Ａ）は、リテーナ１４の平面図である。図７（Ｂ）は、リテーナ１４の側面図である。図７（Ｃ）は、リテーナ１４の正面図である。図７（Ｄ）は、リテーナ１５の正面図である。
【００９３】
図３、及び図７（Ａ）〜図７（Ｄ）を参照して、リテーナ１４は、ブスバー１が各第１部分１０３，２０３、３０３，４０３から外れることを規制するための、規制部材として設けられている。
【００９４】
本実施形態では、リテーナ１４は、ハウジング１２に対する厚み方向Ｚ１への直線変位によって、ハウジング１２に固定される。リテーナ１４は、頭部１４ａと、ピン１４ｂと、を有している。本実施形態では、リテーナ１４は、合成樹脂を用いて形成された一体成形品であり、リテーナ１４の全体が、絶縁体である。尚、頭部１４ａが合成樹脂で形成され、ピン１４ｂが金属等の高剛性材料で形成されてもよい。
【００９５】
頭部１４ａは、リテーナ１４を作業員等が操作する際の把持部として設けられている。本実施形態では、頭部１４ａは、多角柱形状（四角柱形状）に形成されている。頭部１４ａの側面には、凸部１４ｃが複数形成されている。頭部１４ａの底面からピン１４ｂが延びている。
【００９６】
ピン１４ｂは、ブスバー１の孔部１ｂに挿入されることにより、コンタクト装置１１からのブスバー１の抜けを規制する。ピン１４ｂは、例えば、丸軸状に形成されている。上記の構成を有するリテーナ１４と、リテーナ１５とは、互いに同様の構成を有している。
【００９７】
リテーナ１５は、圧着端子４の舌片部４ｂが各第２部分１０６，２０６，３０６，４０６から外れることを規制するための、規制部材として設けられている。
【００９８】
本実施形態では、リテーナ１５は、ハウジング１２に対する厚み方向Ｚ１への直線変位によって、ハウジング１２に固定される。リテーナ１５の形状は、リテーナ１４の形状と同じである。即ち、リテーナ１５は、頭部１５ａと、ピン１５ｂと、を有しており、頭部１５ａの側面に複数の凸部１５ｃが形成されている。リテーナ１４は、リテーナ１５と同様の材料を用いて形成されている。ピン１５ｂは、舌片部４ｂの孔部４ｃに挿入されることにより、コンタクト装置１１からの圧着端子４の抜けを規制する。
【００９９】
リテーナ１４，１５は、長手方向Ｘ１に並ぶように配置されている。リテーナ１４，１５と厚み方向Ｚ１に並ぶようにして、カバー１３が配置されている。
【０１００】
［カバーの詳細な構成］
図８（Ａ）は、カバー１３の平面図である。図８（Ｂ）は、カバー１３の側面図である。図８（Ｃ）は、カバー１３の背面図である。
【０１０１】
図３、及び図８（Ａ）〜図８（Ｃ）を参照して、カバー１３は、ハウジング１２の底面１２ｆの開口部１６を塞ぐ蓋部材として設けられている。また、カバー１３は、コンタクト装置１１を支持する部材として設けられている。カバー１３は、合成樹脂等の絶縁性の材料を用いて形成された、一体成形品である。
【０１０２】
カバー１３は、カバー本体２５と、複数の結合片２６と、規制用凸部２７，２８，２９，３０と、を有している。
【０１０３】
カバー本体２５は、長手方向Ｘ１に細長い矩形の板状に形成されている。カバー本体２５の外周部に、結合片２６が配置されている。
【０１０４】
結合片２６は、ハウジング１２の開口部１６の周囲の部分に嵌合されることで、この開口部１６に固定される。結合片２６は、カバー本体２５の外周部に適宜配置されており、本実施形態では、６箇所に配置されている。カバー本体２５の上面３１には、ピン受け部３２，３３が形成されている。
【０１０５】
ピン受け部３２，３３は、それぞれ、リテーナ１４，１５の対応するピン１４ｂ，１５ｂと嵌合する孔部として設けられている。
【０１０６】
ピン受け部３２は、ピン１４ｂの形状に対応する形状（本実施形態では、円柱状）の空間を形成している。ピン受け部３２は、ハウジング１２に保持されたリテーナ１４のピン１４ｂの先端部と嵌合している。ピン受け部３２とピン１４ｂとは、すきまばめであってもよいし、しまりばめであってもよい。
【０１０７】
ピン受け部３３は、ピン１５ｂの形状に対応する形状（本実施形態では、円柱状）の空間を形成している。ピン受け部３３は、ハウジング１２に保持されたリテーナ１５のピン１５ｂの先端部と嵌合している。ピン受け部３３とピン１５ｂとは、すきまばめであってもよいし、しまりばめであってもよい。
【０１０８】
このように、ピン受け部３２，３３が、対応するピン１４ｂ，１５ｂと嵌合する構成とすることにより、電気コネクタ１０を、より薄型化できる。ピン受け部３２，３３の周囲に、規制用凸部２７，２８，２９，３０が配置されている。
【０１０９】
図９は、図３のＩＸ−ＩＸ線に沿う断面図である。図１０は、図３のＸ−Ｘ線に沿う断面図である。
【０１１０】
図８（Ａ）〜図８（Ｃ）、図９及び図１０を参照して、規制用凸部２７，２８，２９，３０は、それぞれ、カバー１３の上面３１から突出する小片部材として設けられている。本実施形態では、上面３１からの規制用凸部２７，２８，２９，３０の突出量は同じに設定されている。規制用凸部２７，２８，２９，３０は、それぞれ、コンタクト装置１１の対応する第１部分２０３、第２部分２０６、第１部分４０３、及び第２部分４０６に隣接して配置されている。これらの規制用凸部２７，２８，２９，３０は、上記対応する部分が、カバー１３側に所定量以上変位した場合に、上記対応する部分を受けることで、コンタクト装置１１の過度な変形（塑性変形）を規制する。次に、ハウジング１２の構成を、より具体的に説明する。
【０１１１】
［ハウジングの詳細な構成］
図１１は、図１のＸＩ−ＸＩ線に沿う一部断面図であり、電気コネクタ１０は、リテーナ１４，１５のピン１４ｂ，１５ｂが表示されないように切断された状態で示されている。図１２（Ａ）は、ハウジング１２の正面図であり、図１２（Ｂ）は、ハウジング１２の側面図であり、図１２（Ｃ）は、ハウジング１２の背面図である。図１３（Ａ）は、ハウジング１２の平面図であり、図１３（Ｂ）は、ハウジング１２の底面図である。
【０１１２】
図１、図３、図９〜図１３を参照して、ハウジング１２は、コンタクト装置１１を収容している。また、ハウジング１２は、リテーナ１４，１５、及びカバー１３を保持している。ハウジング１２は、合成樹脂等の絶縁材料を用いて形成されている。
【０１１３】
ハウジング１２は、ハウジング１２は、長手方向Ｘ１に延びるブロック状に形成されており、本実施形態では、略四角柱形状の外観を有している。
【０１１４】
図１、図１２及び図１３の各図に良く示されているように、ハウジング１２は、一対の側面１２ｃ，１２ｄを有している。
【０１１５】
一方の側面１２ｃは、溝形成部３４を有している。溝形成部３４は、長手方向Ｘ１に延びる溝３４ａを形成している。この溝３４ａは、正面視において、逆テーパ状に形成されており、幅方向Ｙ１に沿ってハウジング１２の中心から遠ざかるに従い、溝幅が狭くなっている。溝３４ａは、ハウジング１２の正面１２ａ側に開放されている。
【０１１６】
他方の側面１２ｄは、凸条部３５を有している。凸条部３５は、溝３４ａに対応する形状に形成されている。具体的には、凸条部３５は、正面視において、逆テーパ状に形成されており、幅方向Ｙ１に沿ってハウジング１２の中心から遠ざかるに従い、溝幅が広くなっている。凸条部３５は、当該凸条部３５が形成されているハウジング１２とは別のハウジング１２の溝３４ａに、圧入されることが可能である。溝３４ａと凸条部３５との嵌合により、ハウジング１２と、別のハウジング１２とを互いに固定することができる。即ち、複数の電気コネクタ１０を束ねるための専用部材が不要である。
【０１１７】
図１２（Ｃ）に良く示されているように、ハウジング１２における背面１２ｂ側の部分には、複数の孔部３６〜４１と、ブスバー挿入部４２と、が形成されている。
【０１１８】
孔部３６〜４１は、それぞれ、ハウジング１２の背面１２ｂに開放された孔部であり、長手方向Ｘ１に沿って延びている。孔部３６〜４１が設けられていることにより、ハウジング１２の軽量化が達成されている。孔部３６，３７，３８は、ハウジング１２の上面１２ｅ寄りに配置されており、幅方向Ｙ１に並んでいる。孔部３９〜４１は、ハウジング１２の底面１２ｆ寄りに配置されており、幅方向Ｙ１に並んでいる。孔部４０は、ハウジング１２の後述するコンタクト収容部４３に開放されている。孔部３６，３７，３８と、孔部３９〜４１との間に、ブスバー挿入部４２が形成されている。
【０１１９】
図１１及び図１２（Ｃ）に良く示されているように、ブスバー挿入部４２は、ハウジング１２の背面１２ｂからブスバー１を挿入するために設けられている。ブスバー挿入部４２は、幅方向Ｙ１に扁平な形状に形成されており、ブスバー１の一端部１ａを挿入するためのスロットとして設けられている。ブスバー挿入部４２は、ハウジング１２の背面１２ｂからハウジング１２の内部へ延びており、コンタクト収容部４３に開放されている。
【０１２０】
図１、図１１及び図１２（Ａ）に良く示されているように、ハウジング１２の正面１２ａ側には、孔部４４，４５，４６と、端子挿入部４７と、が形成されている。
【０１２１】
孔部４４，４５，４６は、それぞれ、ハウジング１２の正面１２ａに開放された孔部であり、長手方向Ｘ１に沿って延びている。孔部４４，４５，４６が設けられていることにより、ハウジング１２の軽量化が達成されている。孔部４４，４５，４６は、ハウジング１２の底面１２ｆ寄りに配置されており、幅方向Ｙ１に並んでいる。孔部４５は、ハウジング１２のコンタクト収容部４３に開放されている。孔部４４，４５，４６に隣接した位置に、端子挿入部４７が形成されている。
【０１２２】
端子挿入部４７は、ハウジング１２の正面１２ａから電線体２を挿入するために設けられている。端子挿入部４７は、圧着端子４の固定部４ａ及び被覆電線３が挿入される第１部分４７ａと、圧着端子４の舌片部４ｂが挿入される第２部分４７ｂと、を有している。
【０１２３】
第１部分４７ａの底側に、第２部分４７ｂが配置されている。第２部分４７ｂは、幅方向Ｙ１に扁平な形状に形成されており、舌片部４ｂを挿入するためのスロットとして設けられている。第２部分４７ｂは、長手方向Ｘ１に沿って、ハウジング１２の正面１２ａからハウジング１２の内部へ延びており、コンタクト収容部４３に開放されている。
【０１２４】
図３に良く示されているように、ハウジング１２における上面１２ｅには、リテーナ保持部４８，４９が形成されている。
【０１２５】
リテーナ保持部４８は、リテーナ１４の頭部１４ａの形状に相当する形状の孔部であり、本実施形態では、四角柱状の孔部として形成されている。このリテーナ保持部４８には、リテーナ１４の頭部１４ａが挿入されている。頭部１４ａの各凸部１４ｃは、リテーナ保持部４８の内側面に係止（hold）されており、これにより、リテーナ保持部４８にリテーナ１４が固定されている。リテーナ保持部４８の底部には、ピン挿入孔５１が形成されている。このピン挿入孔５１は、本実施形態では、円柱状の空間を形成しており、リテーナ１４のピン１４ｂが挿入されている。ピン挿入孔５１は、コンタクト収容部４３に開放されている。リテーナ保持部４８と長手方向Ｘ１に並ぶようにして、リテーナ保持部４９が形成されている。
【０１２６】
リテーナ保持部４９は、本実施形態では、リテーナ保持部４８の形状と同様の形状を有している。具体的には、リテーナ保持部４９は、リテーナ１５の頭部１５ａの形状に相当する形状の孔部であり、本実施形態では、四角柱状の孔部として形成されている。このリテーナ保持部４９には、リテーナ１５の頭部１５ａが挿入されている。頭部１５ａの各凸部１５ｃは、リテーナ保持部４９の内側面に係止されており、これにより、リテーナ保持部４９にリテーナ１５が固定されている。リテーナ保持部４９の底部には、ピン挿入孔５２が形成されている。このピン挿入孔５２は、本実施形態では、円柱状の空間を形成しており、リテーナ１５のピン１５ｂが挿入されている。ピン挿入孔５２は、コンタクト収容部４３に開放されている。
【０１２７】
ハウジング１２の底面１２ｆ側には、コンタクト収容部４３が形成されている。コンタクト収容部４３は、ハウジング１２の底面１２ｆの周辺において、カバー１３と協働して、コンタクト装置１１を収容する収容空間Ｓ３を画成している。本実施形態では、コンタクト収容部４３内の収容空間Ｓ３は、長手方向Ｘ１に細長く、且つ、厚み方向Ｚ１に薄い空間である。
【０１２８】
図３及び図１３（Ｂ）に良く示されているように、コンタクト収容部４３は、第１内側面６１と、第２内側面６２と、第３内側面６３と、第４内側面６４と、上面６５と、を有している。
【０１２９】
第１〜第４内側面６１〜６４は、厚み方向Ｚ１と平行に延びており、底面視において、コンタクト装置１１を取り囲む矩形状に形成されている。図１３（Ｂ）においては、コンタクト装置１１は、想像線である二点鎖線で図示している。
【０１３０】
第１内側面６１には、前述のブスバー挿入部４２が開放されている。この構成により、ブスバー挿入部４２に挿入されたブスバー１は、コンタクト収容部４３内の第１空間Ｓ１に到達することができる。即ち、ブスバー１と、コンタクト装置１１との接触が、可能となる。また、第１内側面６１には、背面１２ｂに形成された、前述の孔部４５が開放されている。この孔部４５の縁部には、カバー１３の１つの結合片２６が掛けられており、カバー１３がハウジング１２から不用意に抜けることを防止している。第１内側面６１と長手方向Ｘ１に向かい合うようにして、第２内側面６２が配置されている。
【０１３１】
第２内側面６２には、端子挿入部４７の第２部分４７ｂが開放されている。この構成により、端子挿入部４７に挿入された舌片部４ｂは、コンタクト収容部４３内の第２空間Ｓ２に到達することができる。即ち、圧着端子４と、コンタクト装置１１との接触が、可能となる。また、第２内側面６２には、正面１２ａに形成された、前述の孔部４５が開放されている。この孔部４５の縁部には、カバー１３の１つの結合片２６が掛けられており、カバー１３がハウジング１２から不用意に抜けることを防止している。
【０１３２】
コンタクト収容部４３の上面６５には、ピン通挿入孔５１，５２が開放されている。また、コンタクト収容部４３の上面６５には、カバー受け部６６，６７，６８，６９と、規制用凸部７１，７２，７３，７４と、セパレータ７５と、が形成されている。
【０１３３】
図９〜図１３の各図に良く示されているように、カバー受け部６６，６７，６８，６９は、カバー１３の上面３１を受ける部分として設けられている。カバー受け部６６，６７，６８，６９は、底面視における、コンタクト収容部４３の上面６５の四隅に配置されており、コンタクト収容部４３の上面６５から、カバー１３に向けて突出している。カバー受け部６６，６８には、ブスバー１を保持するための溝が形成されている。また、カバー受け部６７，６９には、圧着端子４を保持するための溝が形成されている。これらのカバー受け部６６，６７，６８，６９の間に、規制用凸部７１，７２，７３，７４が形成されている。
【０１３４】
規制用凸部７１，７２，７３，７４は、コンタクト装置１１の過度な変形を規制するように構成されている。
【０１３５】
規制用凸部７１，７２，７３，７４は、それぞれ、コンタクト収容部４３の上面６５からカバー１３に向けて突出する小片部材として設けられている。本実施形態では、上面６５からの規制用凸部７１，７２，７３，７４の突出量は、同じに設定されている。規制用凸部７１，７２，７３，７４は、それぞれ、コンタクト装置１１の対応する第１部分１０３、第２部分１０６、第１部分３０３、及び第２部分３０６に隣接して配置されている。これらの規制用凸部７１，７２，７３，７４は、上記対応する部分が、コンタクト収容部４３の上面６５側に所定量以上変位した場合に、上記対応する部分を受けることで、コンタクト装置１１の過度な変形（塑性変形）を規制する。上記の構成を有する規制用凸部７１，７２，７３，７４に隣接した位置に、セパレータ７５が配置されている。
【０１３６】
図１３（Ｂ）に良く示されているように、セパレータ７５は、コンタクト装置１１の第１コンタクト形成体２１と第２コンタクト形成体２２とを離隔した状態で配置するために設けられている。本実施形態では、セパレータ７５は、複数の小片部材によって構成されている。
【０１３７】
具体的には、セパレータ７５は、主ブロック７５ａと、副ブロック７５ｂ〜７５ｅと、を有している。
【０１３８】
主ブロック７５ａは、コンタクト収容部４３の上面６５の中央に配置された、小片部材である。主ブロック７５ａは、第１コンタクト形成体２１の支点部１０１の切欠部１０８に嵌められており、且つ、第２コンタクト形成体２２の支点部３０１の切欠部３０８に嵌められている。主ブロック７５ａは、副ブロック７５ｂ，７５ｃに挟まれている。
【０１３９】
副ブロック７５ｂ，７５ｃは、支点部１０１，３０１間に配置される小片部材である。主ブロック７５ａ、及び副ブロック７５ｂ，７５ｃによって、支点部１０１，３０１の互いの接触が防止されている。副ブロック７５ｄ，７５ｅは、長手方向Ｘ１におけるコンタクト形成体２１，２２の一対の端部に配置されており、コンタクト形成体２１，２２の互いの接触を防止している。
【０１４０】
以上が、電気コネクタ１０の概略構成である。次に、（１）電気コネクタ１０を介してブスバー１と圧着端子４とを電気的に接続する動作と、（２）電気コネクタ１０からのブスバー１及び圧着端子４の抜けを防止するための動作と、を説明する。
【０１４１】
［（１）電気コネクタを介してブスバーと圧着端子とを電気的に接続する動作］
図２を参照して、ブスバー１と圧着端子４とを電気的に接続する場合、作業員は、ブスバー１の一端部１ａと、圧着端子４の舌片部４ｂとの間に、電気コネクタ１０を配置する。次に、作業員は、ブスバー１を、電気コネクタ１０のブスバー挿入部４２（図２では図示せず）に挿入する。また、作業員は、圧着端子４を、電気コネクタ１０の端子挿入部４７に挿入する。
【０１４２】
これにより、図１１に示すように、ブスバー１の一端部１ａは、コンタクト収容部４３内の収容空間Ｓ３に挿入される。この挿入動作により、ブスバー１の一端部１ａは、各コンタクト形成体２１，２２（図１１では、第２コンタクト形成体２２は図示せず）の第１空間Ｓ１に挿入され、各第１部分１０３，２０３，３０３，４０３に接触する。
【０１４３】
また、圧着端子４は、端子挿入部４７に挿入される。そして、圧着端子４の舌片部４ｂは、コンタクト収容部４３内の収容空間Ｓ３に挿入される。この挿入動作により、舌片部４ｂは、各第１コンタクト形成体２１，２２の第２空間Ｓ２に挿入され、各第２部分１０６，２０６，３０６，４０６に接触する。
【０１４４】
次に、第１コンタクト形成体２１，２２へのブスバー１及び圧着端子４の挿入動作について、より詳細に説明する。図１４は、ブスバー１及び圧着端子４と、第１コンタクト形成体２１とを接続させる動作を説明するための、主要部を示す図である。より具体的には、図１４（Ａ）は、接続前の状態を示す側面図である。図１４（Ｂ）は、接続途中の状態を示す側面図である。図１４（Ｃ）は、接続完了状態を示す側面図であり、図１４（Ｄ）は、図１４（Ｃ）と同じ状態を示す斜視図である。
【０１４５】
図１４（Ａ）を参照して、例えば、ブスバー１及び圧着端子４のうちブスバー１を先に第１コンタクト形成体２１に装着する場合、作業員は、長手方向Ｘ１に沿って、ブスバー１を、第１コンタクト形成体２１の第１部分１０３，２０３間（第１空間Ｓ１）に挿入する。これにより、図１４（Ｂ）に示すように、第１コンタクト形成体２１の第１部分１０３，２０３間の間隔が広げられる。この動作により、第１コンタクト１００は、支点部１０１回りを矢印Ｄ１方向に回転し、第２コンタクト２００は、支点部２０１回りを矢印Ｄ１方向に回転する。その結果、第１コンタクト１００の第２部分１０６と、第２コンタクト２００の第２部分２０６との間隔が狭くなる。
【０１４６】
次に、作業員は、長手方向Ｘ１に沿って、圧着端子４の舌片部４ｂを、第１コンタクト形成体２１の第２部分１０６，２０６（第２空間Ｓ２）に挿入する。これにより、図１４（Ｃ）及び図１４（Ｄ）に示すように、第１コンタクト形成体２１の第２部分１０６，２０６間の間隔が広げられる。この動作により、第１コンタクト１００は、支点部１０１回りを矢印Ｄ１方向に回転する力を受ける。また、第２コンタクト２００は、支点部２０１回りを矢印Ｄ１方向に回転する力を受ける。その結果、第１コンタクト形成体２１の第１部分１０３，２０３には、ブスバー１を挟む力が作用し、第２部分１０６，２０６には、圧着端子４を挟む力が作用する。即ち、第１コンタクト１００及び第２コンタクト２００によるシーソー運動によって、第１部分１０３，２０３が、ブスバー１を強い力で挟持し、第２部分１０６，２０６が、圧着端子４を強い力で挟持する。
【０１４７】
尚、ブスバー１及び圧着端子４のうち圧着端子４を先に第１コンタクト形成体２１に装着する場合も、上記と同様の作用が生じる。また、第２コンタクト形成体２２においても、第１コンタクト形成体２１と同様の動作が生じることで、第１部分３０３，４０３が、ブスバー１を強い力で挟持し、第２部分３０６，４０６が、圧着端子４を強い力で挟持する。
【０１４８】
上記の動作によって、ブスバー１の一端部１ａと、圧着端子４の舌片部４ｂとは、コンタクト装置１１を介して、電気的に接続される。この電気的な接続が達成された後、コンタクト装置１１からのブスバー１及び圧着端子４の抜けを防止するための動作が行われる。
【０１４９】
［（２）電気コネクタからのブスバー及び圧着端子の抜けを防止するための動作］
次に、図３及び図１４（Ｄ）を参照して、作業員は、リテーナ１４を、ハウジング１２のリテーナ保持部４８に挿入する。これにより、リテーナ１４の頭部１４ａがリテーナ保持部４８に固定される。また、リテーナ１４のピン１４ｂは、ピン挿入孔５１を貫通する。ピン１４ｂは、更に、コンタクト装置１１のピン通し部１０９，３０９間を通り、更に、ブスバー１の一端部１ａの孔部１ｂを貫通し、ピン通し部２０９，４０９間を通ることで、コンタクト装置１１を貫通する。このピン１４ｂの先端部は、カバー１３のピン受け部３２に挿入される。
【０１５０】
また、作業員は、リテーナ１５を、ハウジング１２のリテーナ保持部４９に挿入する。これにより、リテーナ１５の頭部１５ａがリテーナ保持部４９に固定される。また、リテーナ１５のピン１５ｂは、ピン挿入孔５２を貫通する。ピン１５ｂは、更に、コンタクト装置１１のピン通し部１１０，３１０間を通り、更に、圧着端子４の孔部４ｃを貫通し、ピン通し部２１０，４１０間を通ることで、コンタクト装置１１を貫通する。このピン１５ｂの先端部は、カバー１３のピン受け部３３に挿入される。
【０１５１】
尚、ブスバー１及び圧着端子４をコンタクト装置１１から取り外す際には、作業員は、まず、リテーナ１４，１５を、厚み方向Ｚ１に沿ってハウジング１２から引き抜く。次に、作業員は、ブスバー１及び圧着端子４を、それぞれ、ハウジング１２から引き抜く。
【０１５２】
以上説明したように、電気コネクタ１０によると、コンタクト１００，２００，３００，４００は、それぞれ、シーソー構造を含んでいる。この構成によると、コンタクト１００，２００，３００，４００において、第１部分１０３，２０３，３０３，４０３及び第２部分１０６，２０６，３０６，４０６の何れか一方（例えば、第１部分１０３，２０３，３０３，４０３）と、対応するブスバー１及び圧着端子４（例えば、ブスバー１）とが、接触する。これにより、各コンタクト１００，２００，３００，４００が、例えば第１部分１０３，２０３，３０３，４０３を力点とし且つ支点部１０１，２０１，３０１，４０１を支点として、変位する。これにより、第１部分１０３，２０３，３０３，４０３及び第２部分１０６，２０６，３０６，４０６の何れか他方（例えば、第２部分１０６，２０６，３０６，４０６）が、作用点として、圧着端子４側へ変位する。したがって、第２部分１０６，２０６，３０６，４０６と圧着端子４とが、所定の接触圧を生じるように接触する。また、第２部分１０６，２０６，３０６，４０６が圧着端子４から受ける反力は、第１部分１０３，２０３，３０３，４０３を、ブスバー１に加圧する力となる。よって、第１部分１０３，２０３，３０３，４０３及び第２部分１０６，２０６，３０６，４０６は、何れも、対応するブスバー１及び圧着端子４と十分な接触圧で接触できる。その結果、コンタクト装置１１を介した、ブスバー１と圧着端子４との電気的な接続を、より確実に維持できる。
【０１５３】
また、電気コネクタ１０によると、コンタクト１００，２００，３００，４００の第１部分１０３，２０３，３０３，４０３間に、ブスバー１を挿入するための第１空間Ｓ１が形成されている。また、コンタクト１００，２００，３００，４００の第２部分１０６，２０６，３０６，４０６間に、圧着端子４を挿入するための第２空間Ｓ２が形成されている。この構成によると、第１部分１０３，２０３；３０３，４０３間にブスバー１が挿入されることで、第２部分１０６，２０６；３０６，４０６間の間隔を狭くしようとする力が、生じる。これにより、第２部分１０６，２０６；３０６，４０６は、当該第２部分１０６，２０６；３０６，４０６間に配置された圧着端子４に加圧される。また、第２部分１０６，２０６；３０６，４０６が圧着端子４から受ける反力は、第１部分１０３，２０３；３０３，４０３を、ブスバー１に加圧する力となる。このように、各コンタクト１００，２００，３００，４００とブスバー１及び圧着端子４との接触圧を、より一層高くできる。その結果、コンタクト装置１１を介した、ブスバー１と圧着端子４との電気的な接続を、より確実に維持できる。
【０１５４】
また、コンタクト１００，２００間のブスバー１又は圧着端子４にこじり運動が生じても、このこじり運動に追従するように、コンタクト１００，２００が変位できる。これにより、コンタクト１００，２００を介した、ブスバー１と圧着端子４との電気的な接続を、より確実に維持できる。同様に、コンタクト３００，４００との間のブスバー１又は圧着端子４にこじり運動が生じても、このこじり運動に追従するように、コンタクト３００，４００が変位できる。これにより、コンタクト３００，４００を介した、ブスバー１と圧着端子４との電気的な接続を、より確実に維持できる。
【０１５５】
また、電気コネクタ１０によると、コンタクト形成体２１，２２は、連結部２３，２４を含んでいる。この構成によると、各コンタクト１００，２００，３００，４００、は、より確実に、対応する支点部１０１，２０１，３０１，４０１を支点とするシーソー運動を行うことができる。
【０１５６】
また、電気コネクタ１０によると、コンタクト１００，３００が互いに分離された状態で横並びに配置されている。このため、ブスバー１又は圧着端子４がねじれるように変位した場合でも、コンタクト１００，３００は、このねじれ運動に追従する変位を生じ易い。これにより、ブスバー１及び圧着端子４と、各コンタクト１００，３００との接触状態を、より確実に維持できる。
【０１５７】
同様に、コンタクト２００，４００が互いに分離された状態で横並びに配置されている。このため、ブスバー１又は圧着端子４がねじれるように変位した場合でも、コンタクト２００，４００は、このねじれ運動に追従する変位を生じ易い。これにより、ブスバー１及び圧着端子４と、各コンタクト２００，４００との接触状態を、より確実に維持できる。
【０１５８】
また、電気コネクタ１０は、ブスバー１が第１部分１０３，２０３，３０３，４０３から外れることを規制するための、リテーナ１４を有している。また、電気コネクタ１０は、圧着端子４が第２部分１０６，２０６，３０６，４０６から外れることを規制するための、リテーナ１５を有している。この構成によると、コンタクト装置１１からブスバー１及び圧着端子４が不用意に外れることを、抑制できる。
【０１５９】
また、電気コネクタ１０によると、リテーナ１４，１５は、圧入固定により、ハウジング１２に固定される。このような構成であれば、ブスバー１とコンタクト装置１１との固定、及び圧着端子４とコンタクト装置１１との固定に、ねじ部材を用いる必要がない。このため、リテーナ１４，１５をハウジング１２に固定する際に、リテーナ１４，１５を複数回に亘って工具で回転させるという、手間のかかる作用が不要である。また、ねじ部材の緩みを防止するための、ねじ部材の定期的な増し締め作業が不要であり、電気コネクタ１０の保守作業が容易である。更に、ブスバー１と圧着端子４とを、電気コネクタ１０で直接的に接続できる。これにより、端子台等の部材を別途用意する必要がない。
【０１６０】
以上、本発明の複数の実施形態について説明したけれども、本発明は各上記実施形態に限られず、特許請求の範囲に記載した限りにおいて様々な変更が可能である。例えば、次のように変更して実施してもよい。尚、以下では、上記実施形態と異なる構成を主に説明し、上記実施形態と同様の構成については、図に同様の符号を付し、詳細な説明を省略する。
【０１６１】
［第１変形例］
図１５（Ａ）は、本発明の第１変形例に係るコンタクト装置１１Ａの斜視図であり、図１５（Ｂ）は、図１５（Ａ）に示すコンタクト装置１１Ａの正面図であり、図１５（Ｃ）は、図１５（Ａ）に示すコンタクト装置１１Ａの底面図である。
【０１６２】
図１５（Ａ）〜図１５（Ｃ）を参照して、コンタクト装置１１Ａが、コンタクト装置１１と異なっているのは、コンタクト装置１１Ａが一部品で構成されている点にある。
【０１６３】
具体的には、コンタクト装置１１Ａは、第１コンタクト形成体２１Ａと、第２コンタクト形成体２２Ａと、結合部８０と、を有している。
【０１６４】
第１コンタクト形成体２１Ａ，２２Ａは、それぞれ、対応するコンタクト形成体２１，２２と同様の構成を有している。但し、各支点部１０１Ａ，２０１Ａ，３０１Ａ，４０１Ａは、それぞれ、切欠部を有していない。
【０１６５】
また、図示していないけれども、コンタクト装置１１Ａを収容するハウジングは、セパレータ７５の主ブロック７５ａが省略されている点以外、ハウジング１２と概ね同様の構成となる。
【０１６６】
結合部８０は、第１コンタクト形成体２１Ａと第２コンタクト形成体２２Ａとを結合している。結合部８０は、第２コンタクト２００Ａを幅方向Ｙ１に延長した形状に形成されており、側面視において、第２コンタクト２００Ａ及び第４コンタクト４００Ａと同じ形状を有している。
【０１６７】
結合部８０は、ピン通し部８１，８２を有している。ピン通し部８１は、第２コンタクト２００Ａ及び第４コンタクト４００Ａの第１部分２０３Ａ，４０３Ａと協働して、円形の貫通孔を形成している。この貫通孔には、リテーナ１４のピン１４ｂが挿入される。ピン通し部８２は、第２コンタクト２００Ａ及び第４コンタクト４００Ａの第２部分２０６Ａ，４０６Ａと協働して、円形の貫通孔を形成している。この貫通孔には、リテーナ１５のピン１５ｂが挿入される。
【０１６８】
コンタクト装置１１Ａによると、コンタクト装置１１Ａを構成する部品点数を少なくできる。また、各コンタクト形成体２１Ａ，２２Ａを一括してハウジングへ組み付けることができる。よって、電気コネクタを製造する手間を、より少なくできる。
【０１６９】
［第２変形例］
図１６（Ａ）は、本発明の第２変形例に係るコンタクト装置１１Ｂの斜視図であり、図１６（Ｂ）は、図１６（Ａ）に示すコンタクト装置１１Ｂの正面図であり、図１６（Ｃ）は、図１６（Ａ）に示すコンタクト装置１１Ｂの底面図である。
【０１７０】
図１６（Ａ）〜図１６（Ｃ）を参照して、本発明の第２変形例に係るコンタクト装置１１Ｂが、第１変形例に係るコンタクト装置１１Ａと異なっているのは、リテーナ１４，１５のピン１４ｂ，１５ｂを挿入するための構成が省略されている点にある。具体的には、コンタクト形成体２１Ｂ，２２Ｂのコンタクト１００Ｂ，２００Ｂ，３００Ｂ，４００Ｂ、及び結合部８０Ｂの何れにも、ピン通し部が形成されていない。
【０１７１】
このコンタクト装置１１Ｂを収容するハウジングには、リテーナ１４，１５は装着されない。
【０１７２】
［第３変形例］
図１７（Ａ）は、本発明の第３変形例に係るコンタクト装置１１Ｃの斜視図であり、図１７（Ｂ）は、図１７（Ａ）に示すコンタクト装置１１Ｃの正面図であり、図１７（Ｃ）は、図１７（Ａ）に示すコンタクト装置１１Ｃの底面図である。
【０１７３】
図１７（Ａ）〜図１７（Ｃ）を参照して、本発明の第３変形例に係るコンタクト装置１１Ｃが、第２変形例に係るコンタクト装置１１Ｂと異なっているのは、第２コンタクト２００Ｃ、第４コンタクト４００Ｃ、及び結合部８０Ｃに、凸部８３，８４が形成されている点にある。
【０１７４】
凸部８３は、コンタクト２００Ｃ，４００Ｃの第１部分２０３Ｃ，４０３Ｃ、及び結合部８０Ｃに形成されており、第１空間Ｓ１へ向けて突出している。これにより、凸部８３は、第１空間Ｓ１に挿入されるブスバー１の孔部１ｂ（図１７では図示せず）に嵌まることができる。これにより、リテーナを用いることなく、コンタクト装置１１Ｃからのブスバー１の抜けを抑制できる。
【０１７５】
凸部８４は、コンタクト２００Ｃ，４００Ｃの第２部分２０６Ｃ，４０６Ｃ、及び結合部８０Ｃに形成されており、第２空間Ｓ２へ向けて突出している。これにより、凸部８４は、第２空間Ｓ２に挿入される圧着端子４の孔部４ｃ（図１７では図示せず）に嵌まることができる。これにより、リテーナを用いることなく、コンタクト装置１１Ｃからの圧着端子４の抜けを抑制できる。
【０１７６】
［第４変形例］
図１８（Ａ）は、本発明の第４変形例に係るコンタクト装置１１Ｄの斜視図であり、図１８（Ｂ）は、図１８（Ａ）に示すコンタクト装置１１Ｄの正面図であり、図１８（Ｃ）は、図１８（Ａ）に示すコンタクト装置１１Ｄの底面図である。
【０１７７】
図１８（Ａ）〜図１８（Ｃ）を参照して、本発明の第４変形例に係るコンタクト装置１１Ｄが、本発明の実施形態に係るコンタクト装置１１と異なっている点は、主に、第２コンタクト形成体が省略されている点と、第１コンタクト形成体２１Ｄがより幅広に形成されている点と、にある。
【０１７８】
より具体的には、コンタクト装置１１Ｄは、第１コンタクト形成体２１Ｄを有している。
【０１７９】
第１コンタクト形成体２１Ｄは、第１コンタクト１００Ｄと、第２コンタクト２００Ｄと、連結部２３と、を有している。
【０１８０】
各コンタクト１００Ｄ，２００Ｄの支点部１０１Ｄ，２０１Ｄには、切欠部が形成されていない。コンタクト１００Ｄ，２００Ｄの第１部分１０３Ｄ，２０３Ｄには、ピン通し部１０９Ｄ，２０９Ｄが形成されている。ピン通し部１０９Ｄ，２０９Ｄは、それぞれ、円形状の孔部であり、リテーナ１４のピン１４ｂを挿入可能である。また、コンタクト１００Ｄ，２００Ｄの第２部分１０６Ｄ，２０６Ｄには、ピン通し部１１０Ｄ，２１０Ｄが形成されている。ピン通し部１１０Ｄ，２１０Ｄは、それぞれ、円形状の孔部であり、リテーナ１５のピン１５ｂを挿入可能である。
【０１８１】
また、図示していないけれども、コンタクト装置１１Ｄを収容するハウジングは、セパレータ７５が省略されている点以外、ハウジング１２と概ね同様の構成となる。
【０１８２】
［第５変形例］
図１９（Ａ）は、本発明の第５変形例に係るコンタクト装置１１Ｅの斜視図であり、図１９（Ｂ）は、図１９（Ａ）に示すコンタクト装置１１Ｅの正面図であり、図１９（Ｃ）は、図１９（Ａ）に示すコンタクト装置１１Ｅの底面図である。
【０１８３】
図１９（Ａ）〜図１９（Ｃ）を参照して、本発明の第５変形例に係るコンタクト装置１１Ｅが、第４変形例に係るコンタクト装置１１Ｄと異なっているのは、ピン通し部１０９Ｄ，１１０Ｄ，２０９Ｄ，２１０Ｄが省略されている点にある。これ以外の構成については、各コンタクト１００Ｅ，２００Ｅは、対応するコンタクト１００Ｄ，２００Ｄと同様の構成を有している。また、コンタクト装置１１Ｅを収容するハウジングには、リテーナ１４，１５は、装着されない。
【０１８４】
［第６変形例］
図２０（Ａ）は、本発明の第６変形例に係るコンタクト装置１１Ｆの斜視図であり、図２０（Ｂ）は、図２０（Ａ）に示すコンタクト装置１１Ｆの正面図であり、図２０（Ｃ）は、図２０（Ａ）に示すコンタクト装置１１Ｆの底面図である。
【０１８５】
図２０（Ａ）〜図２０（Ｃ）を参照して、本発明の第６変形例に係るコンタクト装置１１Ｆが、第５変形例に係るコンタクト装置１１Ｅと異なっているのは、第２コンタクト２００Ｅに、凸部８５，８６，８７，８８が形成されている点にある。
【０１８６】
凸部８５，８６は、コンタクト１００Ｆ，２００Ｆの第１部分１０３Ｆ，２０３Ｆに形成されており、互いに向かい合うように突出している。これにより、凸部８５，８６は、第１空間Ｓ１に挿入されるブスバー１の孔部１ｂ（図２０では図示せず）に嵌まることができる。これにより、リテーナを用いることなく、コンタクト装置１１Ｆからのブスバー１の抜けを抑制できる。また、凸部８７，８８は、コンタクト１００Ｆ，２００Ｆの第２部分１０６Ｆ，２０６Ｆに形成されており、互いに向かい合うように突出している。これにより、凸部８７，８８は、第２空間Ｓ２に挿入される圧着端子４の孔部４ｃ（図２０では図示せず）に嵌まることができる。これにより、リテーナを用いることなく、コンタクト装置１１Ｆからの圧着端子４の抜けを抑制できる。
【０１８７】
［第７変形例］
図２１は、本発明の第７変形例に係る電気コネクタ１０Ｇ、及びブスバー１Ｇの斜視図であり、図２１（Ａ）は、電気コネクタ１０Ｇにブスバー１Ｇ及び電線体２が接続されていない状態を示しており、図２１（Ｂ）は、電気コネクタ１０Ｇにブスバー１Ｇ及び電線体２が接続された状態を示している。
【０１８８】
図２１（Ａ）及び図２１（Ｂ）を参照して、電気コネクタ１０Ｇは、ブスバー挿入部４２に代えて、ブスバー挿入部４２Ｇを有している。ブスバー挿入部４２Ｇは、ハウジング１２Ｇを、幅方向Ｙ１に貫通している。
【０１８９】
ブスバー１Ｇは、幅方向Ｙ１に細長い形状を有しており、ハウジング１２Ｇ（電気コネクタ１０Ｇ）の幅よりも大きい幅を有している。ブスバー１Ｇは、例えば、長手方向Ｘ１に沿って変位されることで、ブスバー挿入部４２Ｇに挿入される。その結果、ブスバー１Ｇは、コンタクト装置１１（図２０では図示せず）に接続される。
【０１９０】
電気コネクタ１０Ｇによると、ブスバー１Ｇの幅の大きさに拘わらず、ブスバー１Ｇをブスバー挿入部４２Ｇに挿入することができる。よって、電気コネクタ１０Ｇの汎用性を、より高くできる。
【０１９１】
［第８変形例］
図２２（Ａ）は、本発明の第８変形例に係る電気コネクタ１０Ｈの断面図である。図２２（Ｂ）は、コンタクト装置１１Ｈの底面図である。図２２（Ａ）及び図２２（Ｂ）を参照して、電気コネクタ１０Ｈが電気コネクタ１０と異なっているのは、主に、コンタクト装置１１Ｈの構成である。
【０１９２】
コンタクト装置１１Ｈは、１つの第２コンタクト２００Ｈを有している。第２コンタクト２００Ｈは、第２コンタクト２００と同様の構成を有している。但し、第２コンタクト２００Ｈのピン通し部２０９Ｈ，２１０Ｈは、それぞれ、円形に形成されている。また、幅方向Ｙ１において、第２コンタクト２００Ｈは、コンタクト収容部４３Ｈの略全域に亘って延びている。
【０１９３】
ハウジング１２Ｈのコンタクト収容部４３Ｈには、押さえ部８９が形成されている。また、カバー１３Ｈには、押さえ部９０が形成されている。押さえ部８９，９０の先端は、それぞれ、側面視において先細り（例えば、半球状）に形成されている。これらの押さえ部８９，９０によって、第２コンタクト２００Ｈの支点部２０１Ｈが挟持されている。これにより、第２コンタクト２００Ｈは、コンタクト収容部４３Ｈ内でシーソー運動（回転運動）を行うことができる。
【０１９４】
このように、１つの第２コンタクト２００Ｈによって、ブスバー１と圧着端子４とを電気的に接続することができる。
【０１９５】
尚、第８変形例では、第２コンタクト２００Ｈによってコンタクト装置１１Ｈを構成する形態を説明した。しかしながら、この通りでなくてもよい。例えば、１つの第１コンタクトによって、コンタクト装置１１Ｈと同様のコンタクト装置を形成してもよい。
【０１９６】
［他の変形例］
【０１９７】
前述の実施形態及び各変形例では、導電部材が、ブスバー及び圧着端子である形態を例に説明した。しかしながら、この通りでなくてもよい。第１導電部材及び第２導電部材について、双方がブスバーであってもよいし、双方が圧着端子であってもよい。また、例えば、導電部材として、回路基板、ＦＦＣ（フレキシブルフラットケーブル）、ＦＰＣ（フレキシブルプリント基板）等、他の導電部材を用いてもよい。
【０１９８】
また、前述の実施形態及び各変形例において、コンタクト装置単体で電気コネクタを構成してもよい。
【産業上の利用可能性】
【０１９９】
本発明は、電気コネクタとして、広く適用することができる。
【符号の説明】
【０２００】
１                                ブスバー（第１導電部材）
４                                圧着端子（第２導電部材）
１０                              電気コネクタ
１４                              リテーナ（規制部材）
２３，２４                        連結部
１００，２００，３００，４００    コンタクト
１０１，２０１，３０１，４０１    支点部
１０３，２０３，３０３，４０３    第１部分
１０６，２０６，３０６，４０６    第２部分
Ｓ１                              第１空間
Ｓ２                              第２空間
【図１】
2014107016.tif 000003
【図２】
2014107016.tif 000004
【図３】
2014107016.tif 000005
【図４】
2014107016.tif 000006
【図５】
2014107016.tif 000007
【図６】
2014107016.tif 000008
【図７】
2014107016.tif 000009
【図８】
2014107016.tif 000010
【図９】
2014107016.tif 000011
【図１０】
2014107016.tif 000012
【図１１】
2014107016.tif 000013
【図１２】
2014107016.tif 000014
【図１３】
2014107016.tif 000015
【図１４】
2014107016.tif 000016
【図１５】
2014107016.tif 000017
【図１６】
2014107016.tif 000018
【図１７】
2014107016.tif 000019
【図１８】
2014107016.tif 000020
【図１９】
2014107016.tif 000021
【図２０】
2014107016.tif 000022
【図２１】
2014107016.tif 000023
【図２２】
2014107016.tif 000024